(57)【要約】【課題】この発明は、オリジナルのビデオ信号に対するエンコード処理の回数を少なくし、記録効率を極力下げることなく、より高画質にビデオ信号を保存することを目的とする。【解決手段】  受信されたビデオ信号を第１のエンコードレートでエンコードする手段と、第１のエンコードレートとは異なる第２のエンコードレートを用いてエンコード処理を施すことが設定されている場合は、第１のエンコードレートでエンコードした結果を用いて符号化に関する統計データを算出する手段と、ビデオ信号を遅延する遅延手段と、算出された統計データに基づいて遅延されたビデオ信号を第２のエンコードレートでエンコードする手段と、第２のエンコード手段でエンコードされたビデオ信号を記録媒体へ記録する手段とを備える。【選択図】  図１
2005341001.tif 000002
【特許請求の範囲】
【請求項１】
ビデオ信号を受信し、エンコード処理を施して記録媒体に記録する記録装置において、
ビデオ信号を受信するビデオ信号受信手段と、
前記受信されたビデオ信号を第１のエンコードレートでエンコードする第１のエンコード手段と、
前記受信されたビデオ信号に対して前記第１のエンコードレートとは異なる第２のエンコードレートを用いる保存用のエンコード処理を施すことが設定されているか否かを判断する保存用コンテンツ設定判断手段と、
前記保存用コンテンツ設定判断手段で保存用のエンコード処理を施すことが設定されていると判断された場合は、前記第１のエンコードレートで前記ビデオ信号を予め定められた所定時間エンコードした結果を用いて符号化に関する統計データを算出する統計データ算出手段と、
前記受信されたビデオ信号を遅延する遅延手段と、
前記算出された統計データに基づいて前記第２のエンコードレートを決定し、前記遅延されたビデオ信号をこの第２のエンコードレートでエンコードする第２のエンコード手段と、
前記第２のエンコード手段でエンコードされたビデオ信号を記録媒体へ記録する記録手段と、を備えることを特徴とする記録装置
【請求項２】
ビデオ信号を受信し、エンコード処理を施して記録媒体に記録する記録装置において、
ビデオ信号を受信するビデオ信号受信手段と、
前記受信されたビデオ信号を第１のエンコードレートでエンコードする第１のエンコード手段と、
前記第１のエンコード手段でエンコードされたビデオ信号を記録媒体へ記録する第１の記録手段と、
前記受信されたビデオ信号に対して前記第１のエンコードレートとは異なる第２のエンコードレートを用いる保存用のエンコード処理を施すことが設定されているか否かを判断する保存用コンテンツ設定判断手段と、
前記保存用コンテンツ設定判断手段で保存用のエンコード処理を施すことが設定されていると判断された場合は、前記第１のエンコードレートで前記ビデオ信号を予め定められた所定時間エンコードした結果を用いて符号化に関する統計データを算出する統計データ算出手段と、
前記受信されたビデオ信号を遅延する遅延手段と、
前記算出された統計データに基づいて前記第２のエンコードレートを決定し、前記遅延されたビデオ信号をこの第２のエンコードレートでエンコードする第２のエンコード手段と、
前記第２のエンコード手段でエンコードされたビデオ信号を記録媒体へ記録する第２の記録手段と、を備えることを特徴とする記録装置
【請求項３】
ビデオ信号を受信し、エンコード処理を施して記録媒体に記録する記録装置において、
ビデオ信号を受信するビデオ信号受信手段と、
前記受信されたビデオ信号を第１のエンコードレートでエンコードする第１のエンコード手段と、
前記受信されたビデオ信号に対して前記第１のエンコードレートとは異なる第２のエンコードレートを用いる保存用のエンコード処理を施すことが設定されているか否かを判断する保存用コンテンツ設定判断手段と、
前記保存用のエンコード処理が施されるコンテンツ録画の容量が設定されているか否かを判断するコンテンツ録画容量設定判断手段と、
前記保存用のエンコード処理を施すことが設定されていると判断された場合は、前記第１のエンコードレートで前記ビデオ信号を予め定められた所定時間エンコードした結果を用いて符号化に関する統計データを算出する統計データ算出手段と、
前記受信されたビデオ信号を遅延する遅延手段と、
前記コンテンツ録画の容量が設定されていると判断された場合は、前記算出された統計データおよび、前記設定されているコンテンツ録画容量に基づいて前記第２のエンコードレートを決定し、前記遅延されたビデオ信号をこの第２のエンコードレートでエンコードする第２のエンコード手段と、
前記第２のエンコード手段でエンコードされたビデオ信号を記録媒体へ記録する記録手段と、を備えることを特徴とする記録装置
【請求項４】
ビデオ信号を受信し、エンコード処理を施して記録媒体に記録する記録装置において、
ビデオ信号を受信するビデオ信号受信手段と、
前記受信されたビデオ信号を第１のエンコードレートでエンコードする第１のエンコード手段と、
前記受信されたビデオ信号に対して前記第１のエンコードレートとは異なる第２のエンコードレートを用いる保存用のエンコード処理を施すことが設定されているか否かを判断する保存用コンテンツ設定判断手段と、
前記保存用のエンコード処理が施されるコンテンツ録画の容量が設定されているか否かを判断するコンテンツ録画容量設定判断手段と、
前記保存用のエンコード処理を施すことが設定されていると判断された場合は、前記第１のエンコードレートで前記ビデオ信号を予め定められた所定時間エンコードした結果を用いて符号化に関する統計データを算出する統計データ算出手段と、
前記受信されたビデオ信号を遅延する遅延手段と、
前記コンテンツ録画の容量は設定されていないと判断された場合は、前記算出された統計データおよび、デフォルトで設定されているコンテンツ録画容量に基づいて前記第２のエンコードレートを決定し、前記遅延されたビデオ信号をこの第２のエンコードレートでエンコードする第２のエンコード手段と、
前記第２のエンコード手段でエンコードされたビデオ信号を記録媒体へ記録する記録手段と、を備えることを特徴とする記録装置
【請求項５】
ビデオ信号を受信し、エンコード処理を施して記録媒体に記録する記録方法において、
ビデオ信号を受信するステップと、
前記受信されたビデオ信号を第１のエンコードレートでエンコードするステップと、
前記受信されたビデオ信号に対して前記第１のエンコードレートとは異なる第２のエンコードレートを用いる保存用のエンコード処理を施すことが設定されているか否かを判断するステップと、
前記保存用のエンコード処理を施すことが設定されていると判断された場合は、前記第１のエンコードレートで前記ビデオ信号を予め定められた所定時間エンコードした結果を用いて符号化に関する統計データを算出するステップと、
前記受信されたビデオ信号を遅延するステップと、
前記算出された統計データに基づいて前記第２のエンコードレートを決定し、前記遅延されたビデオ信号をこの第２のエンコードレートでエンコードするステップと、
前記第２のエンコード手段でエンコードされたビデオ信号を記録媒体へ記録するステップと、を備えることを特徴とする記録方法
【請求項６】
ビデオ信号を受信し、エンコード処理を施して記録媒体に記録する記録方法において、
ビデオ信号を受信するステップと、
前記受信されたビデオ信号を第１のエンコードレートでエンコードするステップと、
前記エンコードされたビデオ信号を記録媒体へ記録するステップと、
前記受信されたビデオ信号に対して前記第１のエンコードレートとは異なる第２のエンコードレートを用いる保存用のエンコード処理を施すことが設定されているか否かを判断するステップと、
前記保存用のエンコード処理を施すことが設定されていると判断された場合は、前記第１のエンコードレートで前記ビデオ信号を予め定められた所定時間エンコードした結果を用いて符号化に関する統計データを算出するステップと、
前記受信されたビデオ信号を遅延するステップと、
前記算出された統計データに基づいて前記第２のエンコードレートを決定し、前記遅延されたビデオ信号をこの第２のエンコードレートでエンコードするステップと、
前記第２のエンコード手段でエンコードされたビデオ信号を記録媒体へ記録するステップと、を備えることを特徴とする記録方法。
【請求項７】
ビデオ信号を受信し、エンコード処理を施して記録媒体に記録する記録方法において、
ビデオ信号を受信するステップと、
前記受信されたビデオ信号を第１のエンコードレートでエンコードするステップと、
前記受信されたビデオ信号に対して前記第１のエンコードレートとは異なる第２のエンコードレートを用いる保存用のエンコード処理を施すことが設定されているか否かを判断するステップと、
前記保存用のエンコード処理が施されるコンテンツ録画の容量が設定されているか否かを判断するステップと、
前記保存用のエンコード処理を施すことが設定されていると判断された場合は、前記第１のエンコードレートで前記ビデオ信号を予め定められた所定時間エンコードした結果を用いて符号化に関する統計データを算出するステップと、
前記受信されたビデオ信号を遅延するステップと、
前記コンテンツ録画の容量が設定されていると判断された場合は、前記算出された統計データおよび、前記設定されているコンテンツ録画容量に基づいて前記第２のエンコードレートを決定し、前記遅延されたビデオ信号をこの第２のエンコードレートでエンコードするステップと、
前記第２のエンコード手段でエンコードされたビデオ信号を記録媒体へ記録するステップと、を備えることを特徴とする記録方法
【請求項８】
ビデオ信号を受信し、エンコード処理を施して記録媒体に記録する記録方法において、
ビデオ信号を受信するステップと、
前記受信されたビデオ信号を第１のエンコードレートでエンコードするステップと、
前記受信されたビデオ信号に対して前記第１のエンコードレートとは異なる第２のエンコードレートを用いる保存用のエンコード処理を施すことが設定されているか否かを判断するステップと、
前記保存用のエンコード処理が施されるコンテンツ録画の容量が設定されているか否かを判断するステップと、
前記保存用のエンコード処理を施すことが設定されていると判断された場合は、前記第１のエンコードレートで前記ビデオ信号を予め定められた所定時間エンコードした結果を用いて符号化に関する統計データを算出するステップと、
前記受信されたビデオ信号を遅延するステップと、
前記コンテンツ録画の容量は設定されていないと判断された場合は、前記算出された統計データおよび、デフォルトで設定されているコンテンツ録画容量に基づいて前記第２のエンコードレートを決定し、前記遅延されたビデオ信号をこの第２のエンコードレートでエンコードするステップと、
前記第２のエンコード手段でエンコードされたビデオ信号を記録媒体へ記録するステップと、を備えることを特徴とする記録方法
【発明の詳細な説明】
【技術分野】
【０００１】
この発明は、ビデオ信号を記録媒体に記録する記録装置に関する。またこの発明はビデオ信号をエンコーダでエンコードした後に記録媒体に記録する記録装置に関する。
【背景技術】
【０００２】
現在、ＨＤＤ（ハードディスクドライブ）やＤＶＤ（デジタルビデオディスク）等の記録媒体に映像を記録する記録装置が製品化されている。このような記録装置は、放送番組やビデオ信号等のコンテンツを受信した後にエンコーダで符号化して、記録媒体に手軽に記録（録画）できるようになっている。
【０００３】
近年、ＨＤＤとＤＶＤのようにビデオ信号を記録するための記録媒体を複数備える記録装置が製品化されている。これらの記録装置が備える複数の記録媒体の使用形態は、それぞれユーザーによって異なるが、例えばビデオ信号の一時的な保存用途にＨＤＤを使用し、ビデオ信号の長期的な保存用途にＨＤＤを使用するといった形態が一般的である。例えば、放送等で受信したビデオ信号を所定の圧縮レート（比較的低い圧縮レート）でエンコードした後に、ＨＤＤへ保存する（一時的な保存用途）。その後、このＨＤＤへ保存されたビデオ信号を長期的に保存するか否かがユーザーによって選択され、ＨＤＤへ保存されたビデオ信号を長期的に保存することが選択された場合は、このＨＤＤへ保存されたビデオ信号に所定の圧縮レート（上記圧縮レートよりも高い圧縮レート）でエンコードした後に、ＤＶＤへ保存する（長期的な保存用途）という形態である。記録効率を高めるためには上記エンコード処理は避けて通れない技術である。
【０００４】
このような形態においては、ＨＤＤへ保存されたビデオ信号（所定の圧縮レートで圧縮されている）をさらに所定の圧縮レートでエンコードした後に、ＤＶＤへ保存するものである。ビデオ信号の高画質保存の観点では、オリジナルのビデオ信号に対するエンコード処理の回数は少なければ少ない方が望ましいものであるが、現実には、長期的な保存用途において、オリジナルのビデオ信号に対するエンコード処理が何度か重ねて（少なくとも２回以上）行われているという問題があった。
【０００５】
特許文献１には、２つのエンコーダを用いて、１つは統計量測定のために用い、もうひとつは、１つ目の得られた統計量からさらに最適な符号化を行い、ほぼリアルタイムで２パスに近い可変レート符号化を行う技術が開示されている。しかしながら、この特許文献１においても、ビデオ信号の長期的な保存用途において、オリジナルのビデオ信号に対するエンコード処理が何度か重ねて行われているという問題があった。
【特許文献１】特開平11-98502号公報
【発明の開示】
【発明が解決しようとする課題】
【０００６】
そこで、この発明は、上記事情を考慮してなされたもので、複数の記録媒体を用いたビデオ信号の長期的な保存用途において、何度か重ねて行われているオリジナルのビデオ信号に対するエンコード処理の回数を少なくし、記録効率を極力下げることなく、より高画質にビデオ信号を保存することを目的とする。
【課題を解決するための手段】
【０００７】
この発明に係る記録装置は、ビデオ信号を受信するビデオ信号受信手段と、  前記受信されたビデオ信号を第１のエンコードレートでエンコードする第１のエンコード手段と、前記受信されたビデオ信号に対して前記第１のエンコードレートとは異なる第２のエンコードレートを用いる保存用のエンコード処理を施すことが設定されているか否かを判断する保存用コンテンツ設定判断手段と、前記保存用コンテンツ設定判断手段で保存用のエンコード処理を施すことが設定されていると判断された場合は、前記第１のエンコードレートで前記ビデオ信号を予め定められた所定時間エンコードした結果を用いて符号化に関する統計データを算出する統計データ算出手段と、前記受信されたビデオ信号を遅延する遅延手段と、前記算出された統計データに基づいて前記第２のエンコードレートを決定し、前記遅延されたビデオ信号をこの第２のエンコードレートでエンコードする第２のエンコード手段と、前記第２のエンコード手段でエンコードされたビデオ信号を記録媒体へ記録する記録手段とを備えるように構成している。
【０００８】
またこの発明に係る記録方法は、ビデオ信号を受信するステップと、前記受信されたビデオ信号を第１のエンコードレートでエンコードするステップと、前記受信されたビデオ信号に対して前記第１のエンコードレートとは異なる第２のエンコードレートを用いる保存用のエンコード処理を施すことが設定されているか否かを判断するステップと、前記保存用のエンコード処理を施すことが設定されていると判断された場合は、前記第１のエンコードレートで前記ビデオ信号を予め定められた所定時間エンコードした結果を用いて符号化に関する統計データを算出するステップと、前記受信されたビデオ信号を遅延するステップと、前記算出された統計データに基づいて前記第２のエンコードレートを決定し、前記遅延されたビデオ信号をこの第２のエンコードレートでエンコードするステップと、前記第２のエンコード手段でエンコードされたビデオ信号を記録媒体へ記録するステップとを備えるように構成している。
【発明の効果】
【０００９】
上記した構成によれば、複数の記録媒体を用いたビデオ信号の長期的な保存用途において、何度か重ねて行われているオリジナルのビデオ信号に対するエンコード処理の回数を少なくし、記録効率を極力下げることなく、より高画質にビデオ信号を保存することが可能となる。
【発明を実施するための最良の形態】
【００１０】
以下、図面を参照してこの発明の実施の形態を説明する。
【００１１】
図１はこの発明の実施の形態を示すもので、記録装置の構成を示すブロック図である。
【００１２】
符号１００は記録装置、符号１０１はビデオ信号入力端子（ビデオ信号受信手段）、符号１０３はビデオ信号選択部（ビデオ信号受信手段）、符号１０４はビデオ信号選択部（ビデオ信号受信手段）、符号１０５は第１のエンコーダ（第１のエンコード手段）、符号１０６は遅延部（遅延手段）、符号１０７は第２のエンコーダ（第２のエンコード手段）、符号１０８はＨＤＤ（第１の記録媒体）である。
【００１３】
また、符号１０９はＨＤＤ（記録媒体）、符号１１０は出力選択部、符号１１１は出力選択部、符号１１２はＨＤＤ（記録媒体）、符号１１３はＤＶＤドライブ（第２の記録媒体）、符号１１４は制御部である。
【００１４】
図では省略したが、制御部１１４はビデオ信号選択部（ビデオ信号受信手段）１０３、ビデオ信号選択部（ビデオ信号受信手段）１０４、第１のエンコーダ（第１のエンコード手段）１０５、遅延部（遅延手段）１０６、第２のエンコーダ（第２のエンコード手段）１０７、ＨＤＤ（第１の記録媒体）１０８、ＨＤＤ（記録媒体）１０９、出力選択部１１０、出力選択部１１１、ＨＤＤ（記録媒体）１１２、ＤＶＤドライブ（第２の記録媒体）１１３にそれぞれ接続されており、これらを制御する。
【００１５】
記録装置１００は、外部からビデオ信号入力端子１０１を介して、ビデオ信号が入力される。ここでは、特に図示しないが、記録装置１００はさらに、例えばチューナ等のビデオ信号受信手段を備え、この放送で受信されたビデオ信号を上記ビデオ信号としてもよい。
【００１６】
ビデオ信号入力端子１０１を介して入力されたビデオ信号は、ビデオ信号選択部（ビデオ信号受信手段）１０３およびビデオ信号選択部（ビデオ信号受信手段）１０４へ入力される。上記のようにビデオ信号選択部（ビデオ信号受信手段）１０３およびビデオ信号選択部（ビデオ信号受信手段）１０４は制御部１１４に制御されており、制御部１１４の指示によってそれぞれビデオ信号を選択して出力する。
【００１７】
制御部１１４の指示によってビデオ信号選択部（ビデオ信号受信手段）１０３で選択されて出力されたビデオ信号は第１のエンコーダ（第１のエンコード手段）１０５で受信される。このとき、第１のエンコーダ（第１のエンコード手段）１０５でエンコードを行う符号化モードは、固定の圧縮レートとし、この固定の圧縮レートは一時的な保存用途のため、最高レートで符号化されるものとする。
【００１８】
第１のエンコーダ（第１のエンコード手段）１０５で受信されたビデオ信号は、ビデオ信号（コンテンツ）の初めから一定時間（予め決められた所定時間）の間、上記モードの符号化が行われる。そして、この一定時間（予め決められた所定時間）の符号化動作から符号化に関する統計データが取得され、制御部１１４へ送信される。
【００１９】
また、第１のエンコーダ（第１のエンコード手段）１０５で受信されたビデオ信号は、ビデオ信号（コンテンツ）の一定時間（予め決められた所定時間）以降、終了まで、上記モードの符号化が継続して行われる。そして、第１のエンコーダ（第１のエンコード手段）１０５で受信されたビデオ信号は、ビデオ信号（コンテンツ）の初めから終了まで、上記モードの符号化が行われ、出力される。第１のエンコーダ（第１のエンコード手段）１０５から出力された符号化が行われたビデオ信号はＨＤＤ１（ＨＤＤ（第１の記録媒体））１０８で受信され、記録される。
【００２０】
制御部（統計データ算出手段）１１４では上記統計データから次に説明する制御に関する統計データを算出する。また、制御部（統計データ算出手段）１１４は、この算出された統計データに基づいて選択部１０４を制御し、上記ビデオ信号を受信させる。選択部１０４で受信されたビデオ信号は遅延部（遅延手段））１０６へ向けて出力される。
遅延部（遅延部（遅延手段））１０６は上記選択部１０４から出力されたビデオ信号を受信し、制御部１１４の指示で所定時間遅延させて出力する。ここでは、遅延部１０６は、例えばフラッシュメモリやハードディスクなど、ビデオ信号を比較的長時間遅延させることが可能なもので構成されることが望ましい。
【００２１】
遅延部１０６から出力された所定時間遅延されたビデオ信号は、エンコーダ２（第２のエンコーダ（第２のエンコード手段））１０７で受信される。エンコーダ２（第２のエンコーダ（第２のエンコード手段））１０７では、上記のように制御部１１４によってエンコーダ１（第１のエンコーダ（第１のエンコード手段））１０５が制御され、算出された統計データを制御部１１４の制御によってエンコーダ２（第２のエンコーダ（第２のエンコード手段））１０７に設定する。エンコーダ２（第２のエンコーダ（第２のエンコード手段））１０７は、これら設定された統計データに基づいて長期保存用途のためのビデオ信号の符号化を開始する。
【００２２】
ここで、例えば、エンコーダ１（第１のエンコーダ（第１のエンコード手段））１０５で計測された統計データは、主に１ＧＯＰ(Ｇｒｏｕｐ  Ｏｆ  Ｐｉｃｔｕｒｅ)に発生した符合量とする。エンコーダ１（第１のエンコーダ（第１のエンコード手段））１０５では、符号化レートは一定（固定）に設定されているので、ＧＯＰ単位の発生符号量が違ってくる場合がある。エンコーダ２（第２のエンコーダ（第２のエンコード手段））１０７では、これら符号量の発生頻度をみて、各ＧＯＰの符号量の割り当てを行う。具体的には、発生符号量が大きいＧＯＰにはビットレートを多く割り当て、発生符号量が少なかったＧＯＰには、ビットレートは少なく割り当てる。これらをエンコーダ２（第２のエンコーダ（第２のエンコード手段））１０７のターゲット符号化レートにあわせて符号量を調節していくように、符号化を行う（保存用コンテンツ判定手段および統計データ算出手段）。こうして符号化された遅延ビデオ信号のストリームは、遅延部１０６から出力されて、ＨＤＤ２（ＨＤＤ（記録媒体））１０９で受信され、記録される。
【００２３】
ところで、上記エンコーダ１  （第１のエンコーダ（第１のエンコード手段））１０５でエンコードされ、第１の記録媒体１０８に記録されたビデオ信号は上記のように、一時保存用途であり、高レートかつ固定レートである。したがって、一般的には、ユーザーは一時的保存用途のハードディスク（ＨＤＤ（記録媒体））１１２に保存し、再生を行った後には削除する正確のものである。
【００２４】
これに対して、エンコーダ２（第２のエンコーダ（第２のエンコード手段））１０７でエンコードされた遅延ビデオ信号のストリームは、固定レートではなく、上記のように制御部１１４で制御された可変レートで、かつエンコーダ１（第１のエンコーダ（第１のエンコード手段））１０５よりも比較的低いレートでエンコードされた後に記録媒体（ＨＤＤ２）１０９に記録される。その後、遅延ビデオ信号のストリームは、ＤＶＤドライブ１１３（ＤＶＤ−Ｒ／ＲＷ／ＲＡＭなどのメディアなど）へ移動され、保存用として記録される。
【００２５】
なお、ここでは出力選択部１１０は第１の記録媒体（ＨＤＤ１）の出力に接続され、ビデオ信号を受信して選択出力を行うことができように構成されている。また、出力選択部１１１は記録媒体（ＨＤＤ２）の出力に接続され、ビデオ信号を受信して選択出力を行うことができように構成されている。
【００２６】
例えばユーザー操作によって出力選択部１１０および／または出力選択部１１１が制御部１１４に制御され、一時保存用のエンコーダ１で符号化された高レート・固定レートのビデオ信号であるストリームを、ＤＶＤドライブ１１３で保存することも可能であるし、上記長期保存用のビデオ信号をＨＤＤ３（記録媒体）１１２へ記録することも可能である。
【００２７】
図２はこの発明の実施の形態を示すもので、ビデオ信号を第１のエンコード手段でエンコードした後に第２のエンコード手段でエンコードするタイミングを示す図である。
【００２８】
ここでは、これら入力されたビデオ信号をエンコードするエンコーダ１（第１のエンコード手段）とエンコーダ２（第２のエンコード手段）の動作のタイミングを示す。
【００２９】
上記のように、ビデオ信号が入力される。続いて、エンコーダ１（第１のエンコーダ（第１のエンコード手段））１０５はビデオ信号を受信し、上記符号化を開始する。続いて、上記統計データと符号化ストリームが出力される。そして、ビデオ信号が所定時間遅延された後に入力される。エンコーダ２（（第１のエンコーダ（第１のエンコード手段）））１０７はこの遅延ビデオ信号を受信し、上記符号化を開始する。この所定時間は上記のように制御部１１４に制御された遅延部１０６で調整される。この時間が、図中の所定時間遅延である。これらの構成により、オリジナルのビデオ信号に対するエンコード処理の回数を少なくし、記録効率を極力下げることなく、より高画質にビデオ信号を保存することが可能となる。
【００３０】
図３はこの発明の実施の形態を示すもので、保存用コンテンツ録画を設定する設定画面を示す図である。
【００３１】
ここでは保存用コンテンツ録画の設定画面が表示されている。この保存用コンテンツ録画の設定画面では保存用コンテンツ録画の設定を選択できるように構成されている。
【００３２】
例えば、ユーザーがリモコン３０を操作し、映像記録装置１００を制御することによってモニター（ディスプレイ）２９に保存用コンテンツ録画設定画面が表示される。ユーザーは保存用コンテンツ録画設定画面を見てリモコン３０を操作し、ＹＥＳまたはＮＯを選択する。ここでは、ＹＥＳ（保存用コンテンツ録画を設定する）が選択されている。
【００３３】
図４はこの発明の実施の形態を示すもので、保存用コンテンツ録画の容量を設定する設定画面を示す図である。
【００３４】
ここでは保存用コンテンツ録画の容量を設定する設定画面が表示されている。この保存用コンテンツ録画の容量を設定する設定画面では保存用コンテンツ録画の容量の設定を選択的に設定できるように構成されている。
【００３５】
例えば、ユーザーがリモコン３０を操作し、映像記録装置１００を制御することによってモニター（ディスプレイ）２９に保存用コンテンツ録画の容量を設定する設定画面が表示される。例えば、ユーザーは保存用コンテンツ録画の容量を設定する設定画面を見てリモコン３０を操作し、ＹＥＳの中からは４．７ギガバイト（ＤＶＤ表１枚分）または９．４ギガバイト（ＤＶＤ表裏１枚分）を選択する。またＮｏの中からは選択しない（ここでは説明表示なし）を選択する。ここでは、ＹＥＳの中から４．７ギガバイト（ＤＶＤ表１枚分）を選択するが選択されている。
【００３６】
図５はこの発明の実施の形態を示すもので、算出された統計データに基づいて、遅延されたビデオ信号をエンコード処理するようすを説明するフローチャートである。
【００３７】
符号２００はここでの開始ステップである。続いて符号２０１を付したステップへ進む。
【００３８】
符号２０１はビデオ信号を受信するステップである。続いて符号２０２を付したステップへ進む。
【００３９】
符号２０２は受信したビデオ信号をエンコーダ１（第１のエンコーダ）でエンコードするステップである。続いて符号２０３を付したステップへ進む。
【００４０】
符号２０３はエンコーダ１（第１のエンコーダ）でエンコードされたビデオ信号を記録媒体（ＨＤＤ１（第１の記録媒体））へ記録するステップである。続いて符号２０４を付したステップへ進む。
【００４１】
符号２０４は保存用コンテンツの録画に関し、上記説明したように保存用コンテンツの録画は設定されているか否かを判断するステップである。保存用コンテンツの録画は設定されていると判断される場合は符号２０５を付したステップへ進む（Ｙｅｓ）。保存用コンテンツの録画は設定されていると判断されない場合は符号２１３を付したステップへ進む（Ｎｏ）。
【００４２】
符号２０５は保存用コンテンツ録画の容量設定に関し、上記説明したように保存用コンテンツ録画の容量は設定されているか否かを判断するステップである。保存用コンテンツ録画の容量は設定されていると判断される場合は符号２０６を付したステップへ進む（Ｙｅｓ）。保存用コンテンツ録画の容量は設定されていると判断されない場合は符号２０９を付したステップへ進む（Ｎｏ）。
【００４３】
符号２０６はエンコーダ１（第１のエンコード手段）のエンコード結果（ビデオ信号（コンテンツ）の初めから所定時間）を用いて、設定された録画容量に応じた符号化に関する第１の統計データを算出するステップである。続いて符号２０８を付したステップへ進む。
【００４４】
符号２０８は算出された第１の統計データに基づいて、遅延されたビデオ信号を、エンコーダ２（第２のエンコード手段）１０７でエンコードするステップである。続いて符号２１２を付したステップへ進む。
【００４５】
符号２０９はエンコーダ１（第１のエンコード手段）のエンコード結果（ビデオ信号（コンテンツ）の初めから所定時間）を用いて、デフォルトで設定された録画容量に応じた符号化に関する第２の統計データを算出するステップである。続いて符号２１１を付したステップへ進む。
【００４６】
符号２１１は算出された第２の統計データに基づいて、遅延されたビデオ信号を、エンコーダ２（第２のエンコード手段）１０７でエンコードするステップである。続いて符号２１２を付したステップへ進む。
【００４７】
符号２１２はエンコーダ２（第２のエンコード手段）１０７でエンコードされたビデオ信号を記録媒体（ＤＶＤ（第２の記録媒体））へ記録するステップである。続いて符号２１３を付したステップへ進む。
【００４８】
符号２１３は終了ステップであり、ここでの処理は終了する。
【００４９】
このように構成することによって、オリジナルのビデオ信号に対するエンコード処理の回数を少なくし、記録効率を極力下げることなく、より高画質にビデオ信号を保存することが可能となるという効果がある。
【００５０】
さらに、２つのエンコーダを用いることによって、エンコーダ２で生成する保存用のストリームをより効率的に符号化することが可能となる。
【００５１】
なお、この発明は上記した実施の形態そのままに限定されるものではなく、実施段階ではその趣旨を逸脱しない範囲で構成要素を種々変形して具体化することができる。
【図面の簡単な説明】
【００５２】
【図１】この発明の実施の形態を示すもので、記録装置の構成を示すブロック図。
【図２】この発明の実施の形態を示すもので、ビデオ信号を第１のエンコード手段でエンコードした後に第２のエンコード手段でエンコードするタイミングを示す図。
【図３】この発明の実施の形態を示すもので、保存用コンテンツ録画を設定する設定画面を示す図。
【図４】この発明の実施の形態を示すもので、保存用コンテンツ録画の容量を設定する設定画面を示す図。
【図５】この発明の実施の形態を示すもので、算出された統計データに基づいて、遅延されたビデオ信号をエンコード処理するようすを説明するフローチャート。
【符号の説明】
【００５３】
１００…記録装置、１０１…ビデオ信号入力端子（ビデオ信号受信手段）、１０３…ビデオ信号選択部（ビデオ信号受信手段）、１０４…ビデオ信号選択部（ビデオ信号受信手段）、１０５…第１のエンコーダ（第１のエンコード手段）、１０６…遅延部（遅延手段）、１０７…第２のエンコーダ（第２のエンコード手段）、１０８…ＨＤＤ（第１の記録媒体）、１０９…ＨＤＤ（記録媒体）、１１０…出力選択部、１１１…出力選択部、１１２…ＨＤＤ（記録媒体）、１１３…ＤＶＤドライブ（第２の記録媒体）、１１４…制御部（保存用コンテンツ判定手段、統計データ算出手段）。
【図１】
2005341001.tif 000003
【図２】
2005341001.tif 000004
【図３】
2005341001.tif 000005
【図４】
2005341001.tif 000006
【図５】
2005341001.tif 000007